(57)【要約】【課題】高額な金型投資をすることもなく、天井パネルのサイズアップができ、天井の結露水の落滴を防止できる天井パネルの接続構造を提供する。【解決手段】壁パネル２のフレームの上部に立ち上がり片５を設けるとともに、該壁パネル２の立ち上がり片５に天井パネル３の周囲の垂下片１５を固着する天井パネル３の接続構造において、前記壁パネル２の立ち上がり片５と天井パネル３の垂下片１５とを水平部６を有する連結板４で連結固着し、上記連結板４の水平部６に天井パネル２の垂下片１５より内方に位置し、該水平部６の端部を上方に折り返して結露水受部９を設ける。【選択図】      図１
2004176383.tif 000002
【特許請求の範囲】
【請求項１】
壁パネルのフレームの上部に立ち上がり片を設けるとともに、該壁パネルの立ち上がり片に天井パネルの周囲の垂下片を固着する天井パネルの接続構造において、前記壁パネルの立ち上がり片と天井パネルの垂下片とを水平部を有する連結板で連結固着することを特徴とする天井パネルの接続構造。
【請求項２】
上記連結板の水平部に天井パネルの垂下片より内方に位置し、該水平部の端部を上方に折り返して結露水受部を設けたことを特徴とする請求項１記載の天井パネルの接続構造。
【発明の詳細な説明】
【０００１】
【発明の属する技術分野】
本発明は、設備ユニットの天井パネルの接続構造に関する。
【０００２】
【従来の技術】
従来からユニットバスルーム５１における天井パネル５３と壁パネル５２との接続構造として、例えば図３に示すように、壁パネル５２の上部５９に形成した立ち上がり片５４と天井パネル５３のフレーム５７からの垂下片５５とをネジ５６で固定すると共に、壁パネル５２の係合凹部５８に天井廻し縁６０を打ち込み固定したものがある。（例えば、特許文献１参照）
そして、従来の天井パネル５３と壁パネル５２との接続構造は、図４に示すように、天井パネル５３の周囲に垂下片５５を固着していた。
【０００３】
しかし、上記のような天井パネルと壁パネルとの接続構造では、ユニットバスルームの内寸法を大きくサイズアップする場合、天井パネルがＦＲＰ等の合成樹脂からなるものが多いため、各サイズの大きさに合った天井パネルを準備する必要があった。そして、各サイズ専用の天井パネルを作るには、高額な金型投資が必要であった。
【０００４】
また、従来の曲面状天井パネル６２と平面状天井パネル６３との接続構造は、図５に示すように、曲面状天井パネル６２と平面状天井パネル６３とを接合部材６９と嵌合金具７０で接続するものがある。（例えば、特許文献２参照）
天井パネル６１における曲面状天井パネル６２と平面状天井パネル６３との接続構造は、曲面状天井パネル６２と平面状天井パネル６３とを接合部材６９と嵌合金具７０で接続するものである。
【０００５】
しかし、上記のような曲面状天井パネル６２と平面状天井パネル６３との接続構造では、曲面状天井パネル６２の天井表面に発生した結露水がアール部６５を伝わり、アール部６５と平面部との境界部に溜まり、水滴となって頭上に落下するという問題点があった。
【０００６】
【特許文献１】
特開平６−１４６５６６号公報（第５頁、図６）
【０００７】
【特許文献２】
特開２０００−２６５６９４号公報（第６頁、図１、図４）
【０００８】
【発明が解決しようとする課題】
本発明は、上記の問題点を解消するためのもので、ユニットバスルームの内寸法を大きくサイズアップする場合、高額な金型投資をすることもなく、天井パネルのサイズアップができ、天井の結露水の落滴を防止できる天井パネルの接続構造を提供することにある。
【０００９】
【課題を解決するための手段】
本発明の請求項１記載の天井パネルの接続構造は、壁パネルのフレームの上部に立ち上がり片を設けるとともに、該壁パネルの立ち上がり片に天井パネルの周囲の垂下片を固着する天井パネルの接続構造において、前記壁パネルの立ち上がり片と天井パネルの垂下片とを水平部を有する連結板で連結固着することを特徴とする。
【００１０】
このものにあっては、ユニットバスルームの内寸法を大きくサイズアップする場合、高額な金型投資をすることもなく、既存の天井パネルに水平部を有する連結板を接続することにより天井パネルをサイズアップできるものである。
【００１１】
本発明の請求項２記載の天井パネルの接続構造は、請求項１に記載の連結板の水平部に天井パネルの垂下片より内方に位置し、該水平部の端部を上方に折り返して結露水受部を設けたことを特徴とする。
【００１２】
このものにあっては、入浴時に結露水が落下してくるのを防ぐことができる。
【００１３】
【発明の実施の形態】
以後、本発明の実施形態を、図を用いて説明する。
本発明の実施形態に係る天井パネルの接続構造は、既存の天井パネル３に水平部を有する連結板４を接続することによりユニットバスルーム１の内寸法を大きくサイズアップするものである。例えば、１６００×１８００サイズを１８００×１８００サイズに２００ｍｍ広げる場合である。
【００１４】
天井パネル２はＦＲＰ等の合成樹脂からなるものである。また、最近は強度確保などの目的により、ブロー成形にて成形することが増加してきている。
【００１５】
そのため、ユニットバスルーム１の内寸法を大きくサイズアップする場合、天井パネル３の各サイズの専用部品を作るには、金型投資が必要であった。
【００１６】
本発明の実施形態に係る天井パネルの接続構造は、  図１及び図２に示すように、壁パネル２のフレームの上部に立ち上がり片５を設けるとともに、該壁パネル２の立ち上がり片５に天井パネル３の周囲の垂下片１５を固着する天井パネル３の接続構造において、前記壁パネル２の立ち上がり片５と天井パネル３の垂下片１５とを水平部６を有する連結板４で連結固着するものである。
【００１７】
また、上記連結板４の水平部６に天井パネル２の垂下片１５より内方に位置し、該水平部６の端部を上方に折り返して結露水受部９を設けたものである。
【００１８】
上記連結板４は、ステンレス等の金属製の板材で、各種サイズの大きさのものに対して、プレス加工により対応できるものである。
【００１９】
また、連結板４の結露水受部９で受けた結露水は、壁パネル上端部まで導かれ、壁パネル表面を伝わって床から排水口へと排出される。
【００２０】
また、上記連結板４の水平部６には、ダウンライトなどを設置することができるものである。
【００２１】
以上の説明により、本実施形態では、ユニットバスルームの内寸法を大きくサイズアップする場合、高額な金型投資をすることもなく、既存の天井パネルに水平部を有する連結板を接続することにより天井パネルをサイズアップすることができる。また、結露水受部により入浴時に結露水が落下してくるのを防ぐことができる。
【００２２】
【発明の効果】
以上の説明により、本発明の天井パネルの接続構造によると、ユニットバスルームの内寸法を大きくサイズアップする場合、既存の天井パネルに水平部を有する連結板を接続することにより、高額な金型投資をすることもなく、天井パネルをサイズアップすることができる。また、結露水受部で結露水を受けるため、入浴時に結露水が落下してくるのを防ぐことができる。
【図面の簡単な説明】
【図１】本発明の実施形態に係る天井パネルの接続構造を示す要部断面図である。
【図２】本発明の実施形態に係る天井パネルの接続構造を示し、（ａ）は天井パネルと連結板との接続状態を示す上面図で、（ｂ）は側面図である。
【図３】従来の天井パネルと壁パネルとの接続構造を示す要部断面図である。
【図４】従来の天井パネルと壁パネルとの接続構造を示し、（ａ）は天井パネルと垂下片との接続状態を示す上面図で、（ｂ）は側面図である。
【図５】従来の曲面状天井パネルと平面状天井パネルとの接続構造を示し、（ａ）は構成を示す断面図で、（ｂ）は連結部を示す要部断面図である。
【符号の説明】
１      ユニットバスルーム
２      壁パネル
３      天井パネル
４      連結板
５      立ち上がり片
６      水平部
７      連結板本体
８            垂下片取付板
９            結露水受部
１０        連結板垂下片
１１        垂下片取付板接続部
１２        垂下片取付ネジ
１３        天井パネル取付ネジ
１４        天井廻し縁
１５        垂下片
１６        天井表面
【図１】
2004176383.tif 000003
【図２】
2004176383.tif 000004
【図３】
2004176383.tif 000005
【図４】
2004176383.tif 000006
【図５】
2004176383.tif 000007